(57)【要約】      （修正有）【課題】構造が比較的簡単で、それにより製造コストも低廉化でき、ＬＥＤ基板の裏面に放熱装置を設ける必要がなく、もってＬＥＤ集魚灯など装置の大型化、複雑化を招来せず、また、漏電を防止でき、もってより深いところへ集魚灯を投入しても耐圧の面などからも全く問題のない水中水魚灯を提供する。【解決手段】ケース１と、ケース１内に取り付けられた発光体とを有して構成され、水中に水没させて、発光させ、光によって集魚する水中集魚灯において、発光体をＬＥＤ２により構成してケース１内に取り付け、ケース１内には絶縁性を有し、透明性を有する液体３をＬＥＤ２及び配線部に接触状態にして充填してなり、液体３をＬＥＤ２の冷却部材とすると共に、所定形状の透明性を有するケース１と、ケース１内の液体３をＬＥＤ２からの光を集光させて外部へ投射するレンズ部材４として機能させた。【選択図】図１
2011205961.tif 000002
【特許請求の範囲】
【請求項１】
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁性を有し、透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とする水中集魚灯。
【請求項２】
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁抵抗が１０の８乗以上、好ましくは１０の１０乗以上の絶縁性を有し、透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とする水中集魚灯。
【請求項３】
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁抵抗が１０の８乗以上、好ましくは１０の１０乗以上の絶縁性を有し、粘度は、動粘性係数が13ｍｍ２2/s以上であり、かつ透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とする水中集魚灯。
【請求項４】
前記ケース内でのＬＥＤの取り付け位置、ケースの外形形状は、該水中集魚灯が要求される配光特性に合わせて任意位置に取り付け決定できる、
ことを特徴とする請求項１、請求項２または請求項３記載の水中集魚灯。
【発明の詳細な説明】
【技術分野】
【０００１】
本発明は、水中集魚灯に関するものである。
【背景技術】
【０００２】
水中集魚灯とは、水中内に水没させ、光によって魚を集める装置を指標する。すなわち、集まった魚を捕獲する目的で光を放出するものである。
この水中集魚灯には、従来では、例えばメタルハライドランプが用いられてきた。しかし、かかるメタルハライドランプでは、消費電力が大きく、このランプを点灯するために漁船のエンジンをかけ続けなければならず、消費エネルギーが大きいとの課題があった。
【０００３】
そして、近年、地球温暖化問題からエコ問題への意識が高まり、特にＣＯ２削減の観点から、従来のメタルハライドランプを消費電力の少ない例えばＬＥＤ照明に変えるという取り組みがなされている。
【先行技術文献】
【特許文献】
【０００４】
【特許文献１】特開２００９−２１２０３号公報
【発明の概要】
【発明が解決しようとする課題】
【０００５】
しかるに、現在通常一般に実用化されている、いわゆるＬＥＤ集魚灯は、光の集光、放熱、耐久性に課題がある。
【０００６】
例えば、光の集光にはレンズが用いられているが、構造が複雑になること、及び製造コストが高価になってしまうなどの点で大きな課題があった。  例えば、ＬＥＤが発光する際に発生する熱の放熱に関しては、一般的にＬＥＤ基板の裏面に放熱装置を設ける必要があり、もってＬＥＤ集魚灯など装置の大型化、複雑化を招来していた。
【０００７】
また、ＬＥＤなど電気部品部分は海水の浸入による漏電を防ぐため密閉された空間を設ける必要があった。しかし、この空間が存在するため、より深いところへ集魚灯を投入することは耐圧の面などでの課題があった。
【０００８】
かくして、本発明は前記従来の課題に対処すべく創案されたものであり、構造が比較的簡単で、それにより製造コストも低廉化でき、例えば、ＬＥＤが発光する際に発生する熱の放熱に関して、ＬＥＤ基板の裏面に放熱装置を設ける必要がなく、もってＬＥＤ集魚灯など装置の大型化、複雑化を招来せず、また、ＬＥＤなど電気部品部分は海水の浸入による漏電を防ぐため密閉された空間を設ける必要なく、漏電を防止でき、もってより深いところへ集魚灯を投入しても耐圧の面などからも全く問題のない水中水魚灯を提供することを目的とするものである。
【課題を解決するための手段】
【０００９】
本発明による水中水魚灯は、
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁性を有し、透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とし、
または、
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁抵抗が１０の８乗以上、好ましくは１０の１０乗以上の絶縁性を有し、透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とし、
または、
ケースと、該ケース内に取り付けられた発光体とを有して構成され、水中に水没させて、発光させ、該光によって集魚する水中集魚灯において、
前記発光体をＬＥＤにより構成して前記ケース内に取り付け、ケース内には絶縁抵抗が１０の８乗以上、好ましくは１０の１０乗以上の絶縁性を有し、粘度は、動粘性係数が13ｍｍ2/s以上であり、かつ透明性を有する液体を前記ＬＥＤ及び配線部に接触状態にして充填してなり、
前記液体をＬＥＤの冷却部材とすると共に、所定形状の透明性を有するケースと、該ケース内の液体をＬＥＤからの光を集光させて外部へ投射するレンズ部材として機能させた、
ことを特徴とし、
または、
前記ケース内でのＬＥＤの取り付け位置、ケースの外形形状は、該水中集魚灯が要求される配光特性に合わせて任意位置に取り付け決定できる、
ことを特徴とするものである。
【発明の効果】
【００１０】
本発明による水中水魚灯であれば、製造コストも低廉化できる比較的簡易な構造で、また例えば、ＬＥＤが発光する際に発生する熱の放熱に関して、ＬＥＤ基板の裏面に放熱装置を設ける必要がなく、もってＬＥＤ集魚灯など装置の大型化、複雑化を招来せず、また、ＬＥＤなど電気部品部分は海水の浸入による漏電を防ぐため密閉された空間を設ける必要なく漏電を防止でき、もってより深いところへ集魚灯を投入しても耐圧の面などからも全く問題のないなど優れた効果を奏する。
【図面の簡単な説明】
【００１１】
【図１】本発明の第１実施例を示す説明図である。
【図２】本発明の第２実施例を示す説明図である。
【図３】本発明の第３実施例を示す説明図である。
【図４】本発明の第４実施例を示す説明図である。
【図５】本発明の第５実施例を示す説明図である。
【図６】本発明の第６実施例を示す説明図である。
【図７】シリコンゴムの粘度依存性を示す実験を説明したグラフである。
【図８】本発明を使用した場合の温度変化を示す実験データである。
【発明を実施するための形態】
【００１２】
以下本発明を図に示す実施例に基づいて説明する。
【実施例１】
【００１３】
図１は本発明の第１実施例である。
ケース１は、略円筒状に構成されており、透明色の例えば合成樹脂材で構成されている。なお、ケース１の材質については何ら限定されるものではなく、例えば後述するＬＥＤ２の光を透過する箇所が透明色であればよい。
【００１４】
また、図１から理解される様に、ケース１の内面には、発光体となるＬＥＤ２が取り付けられており、その上でケース１内には液体３が充填されている。
該液体３につき説明すると、該液体３は、絶縁抵抗値が１０の８乗Ω以上の液体で、好ましくは絶縁抵抗値が１０の１０乗Ω以上の液体で構成するものとする。
【００１５】
このような液体３で構成することにより、ＬＥＤ２や該ＬＥＤ２についての配線に前記液体３が直に接したとしても、電気漏れ等のおそれがなく、通常の絶縁シールと同様に、あるいはそれ以上に絶縁性を保つことが出来る。しかも液体であるため、ＬＥＤ２からの発熱を押さえることも出来る。
【００１６】
そして、さらに、該液体３の粘度を、動粘性係数１３ｍｍ２／ｓ  以上の液体とすれば、前記ケース１の密封性を高めるパッキンなどの気密材が直に液体３に接したとしても、前記パッキンなどの耐久性を低下させるおそれがないものとなる。
【００１７】
図７に実験例を示す。図７から理解されるように、パッキンとしてシリコンゴムを使用した場合、動粘性係数１３ｍｍ２／ｓ  以上の液体３とすれば、
シリコンゴムは例えば３日経過してもあるいは６日経過してもあまりその厚みに変化をもたらさないという結果が現れている。
【００１８】
よって、動粘性係数１３ｍｍ２／ｓ  以上の液体３であれば、前記ケース１の密封性を高めるパッキンなどの気密材が直に液体３に接したとしても、パッキンなどの耐久性が低下しないのである。
また、前記液体３の具体例としては、流動パラフィンやシリコンオイルあるいはそれらを混合したものが用いられるが、これらに限定されるものではなく、絶縁抵抗値が１０の８乗Ω以上の液体で、好ましくは絶縁抵抗値が１０の１０乗Ω以上の液体で構成されているものであればよい。
【００１９】
図８に本発明による液体３を冷却システムに使用した場合の実験例を示す。このグラフから理解されるように、本発明を使用した場合には明らかにＬＥＤ２の基板の温度が低下していることが理解できる。
【００２０】
ここで、グラフ上、「放熱システム内部」とは、ケース１内部に充填された液体３の温度上昇を表している。そして、「放熱システムあり」とは、前記充填された液体３により冷却されたＬＥＤ基板の温度上昇を表したものである。
さらに、該液体３は、比較的透明性の高い液体を使用すべきである。
【００２１】
しかして、この透明性の高い液体３と、透明性を有するケース１との組み合わせにより、レンズ部材４として機能することになり、ＬＥＤ２からの光は図１に示すように屈曲して外部へ投射される。
【実施例２】
【００２２】
図２は本発明の第２実施例である。
【００２３】
図２から理解されるように、ケース１は、ＬＥＤ２の取り付け面側を角筒状に形成し、ＬＥＤ２の投射面側を略半円状に構成したものである。
このような形状のケース１に構成すると、ＬＥＤ２の取り付け位置から略半円状をなす投射面５までの距離が実施例１の場合と比較して長く構成できるため、図１のようにＬＥＤ２が発光した光が外側にあまり拡散せずに外部へ投射されるものとなる。すなわち、本実施例ではＬＥＤ２の取り付け位置を０．４２ｒの位置に設けたものであり、この場合、光は図２に示すように、平行に進むものとなる。・
【００２４】
このケース１についても透明色の例えば合成樹脂材で構成されているが、ケース１の材質については何ら限定されるものではなく、例えばＬＥＤ２の光を透過する箇所が透明色であればよいこと実施例１の場合と同様である。
【実施例３】
【００２５】
図３に示す第３実施例では、前述した第２実施例のケース１よりさらに、ＬＥＤ２の取り付け位置から略半円状をなす投射面５までの距離を長く構成してある。よって、前記投射面から外部へ投射されるＬＥＤ２の光は、図３に示すように若干収束され、幅の狭い光束となっている。すなわち、本実施例では、ＬＥＤ２の取り付け位置を円の外１ｒの位置設けたものであり、この場合、光は絞られるものとなる。
【実施例４】
【００２６】
図４に第４実施例を示す。この実施例ではケース１の形状を略半円状の筒として構成してある。よって、ＬＥＤ２の取り付け位置から略半円状をなす投射面５までの距離が短く、ＬＥＤ２から発光された光は図４に示すように投射面５から拡散するものとなる。すなわち、本実施例では円の中心位置にＬＥＤ２を取り付けた場合であり、この場合、光はいわゆる光源からほぼ直進する。
【実施例５】
【００２７】
図５に示す第５実施例では、ケース１の形状につき、ＬＥＤ２の取り付け面側を角筒状に形成し、ＬＥＤ２の投射面側を略半円状に構成したものである。
このような形状のケース１に構成すると、ＬＥＤ２の取り付け位置から略半円状をなす投射面５までの距離が実施例４の場合と比較してさらに短く構成してあるため、図４に比較し、さらに投射面５から拡散するものとなる。すなわち、本実施例では、ＬＥＤ２の取り付け位置を円の内側０．５ｒ野市に設けたものであり、この場合、光は広がる方向へ調整されるものとなる。
【実施例６】
【００２８】
図６に示す第６実施例では、ケース１の形状を長方形状の筒に形成しており、長辺側の一辺略中央位置にＬＥＤ２を取り付け、対向する長辺の他辺に形成された投射面５に光を投射している。
ここで、本実施例における投射面５はカーブする湾曲面としては構成されていないので図６に示すように大きく拡散してしまうものとなる。
【００２９】
前述したように、本発明であれば、ケース１の形状と、ケース１内に充填される液体３とによって、レンズ部材４が形成されるため、ケース１の形状を各種変更することにより、外部へ向けて各種各様の光の束を投射することが出来るものとなっている。
【００３０】
ここで、集魚灯にとって外部へ向けて投射される光の束の形状はきわめて重要なファクターである。
すなわち、集魚灯は、魚類が光に向かって集まる性質、すなわち魚の光走性を利用して多数の魚を捕獲するために用いられるものであるが、集魚灯の光によって作られる水中照度分布と集魚力とは関連があるとされているからである。
【００３１】
よって、集魚灯の照射角度により照射範囲や照度を調節することで、集魚力が変わると考えられている。
なお、魚の光走性の理由に関しては複数の説があるが、例えば魚によって好む照度があるとする好適照度説を考えると、照度の調節によって捕獲の目的とする魚の種類に対応させることができると考えられる。
【００３２】
魚の光走性すなわち、光に集まる性質としては前記した好適照度説があげられ、それぞれの魚種に好む照度があるとの説である。
また、集魚灯での照度の調節を行う理由として、光の浸透力あるいは光の透過率がイカやサバ等の網膜の分光感度に影響を与えるためといわれている。
【００３３】
ところで、本発明の集魚灯は前述の如く、海中に水没させて使用するものである。従って、従来のように、集魚灯内部に空間が存在していると、従来、例えば、深海の中で使用すると、圧力バランスとれずに耐圧上問題が生じていたが、本発明においてはケース１内は液体３で充填されているため、たとえ深海の中で使用しても、良好な圧力バランスとれ、もって耐圧上問題は生じないものである。
【符号の説明】
【００３４】
１      ケース
２      ＬＥＤ
３      液体
４      レンズ部材
５      投射面
【図１】
2011205961.tif 000003
【図２】
2011205961.tif 000004
【図３】
2011205961.tif 000005
【図４】
2011205961.tif 000006
【図５】
2011205961.tif 000007
【図６】
2011205961.tif 000008
【図７】
2011205961.tif 000009
【図８】
2011205961.tif 000010